(57)【特許請求の範囲】
【請求項１】
第１ボードを収容した第１ユニットと、第２ボードを収容した第２ユニットの前記両ボードをライザーボードを介して接続する電子機器であって、
前記第１ユニットと第２ユニットの平面形状が実質的に同一であり、前記ライザーボードの両端部に形成された１対のエッジコネクタの一端を、前記第１ユニットに形成された第１開口を通して該第１ボードの第１エッジコネクタソケットに、及び他端を前記第２ユニットに形成された第２開口を通して該第２ボードに形成された第２エッジコネクタソケットにそれぞれ挿入することにより、前記第１ボードと第２のボードを接続する電子機器において、
前記第１ユニットと前記第２ユニットとの対向面の一方面に、複数の被係合部が形成され、他方面に該複数の被係合部に係合可能な同数の爪部材を有する係合部材が設けられ、前記複数の爪部材を同期してスライドさせる操作ボタンを設置し、該操作ボタンにより、係合している前記各爪部材を前記被係合部から脱離させ、この脱離とともに、前記各爪部材が前記第１ユニットと前記第２ユニットを分離する方向に押圧することを特徴とする電子機器。
【請求項２】
第２ユニットの第２開口の反対側に第３の開口を備えるとともに、該開口が蓋体で閉塞される請求項１に記載の電子機器。
【請求項３】
前記第３の開口が形成された第２ユニットには、該開口と同形状の凹溝が形成されている請求項２に記載の電子機器。
【請求項４】
上下の対応箇所に、上向きエッジコネクタソケットと下向きエッジコネクタソケットが形成されたボードを備えるユニットであって、前記両エッジコネクタソケットの上方及び下方に開口を有し、前記上向きエッジコネクタソケットに嵌合され、両端にエッジコネクタが設けられたライザーボードが前記上方開口を通って上方に達し、更に前記ユニットの上面及び下面のいずれか一方に、複数の被係合部が形成され、他方面の該複数の被係合部に対応する箇所に同数の爪部材を有する係合部材が設けられ、かつ前記複数の爪部材を同期してスライドさせる操作ボタンを有することを特徴とする電子機器用の増設ユニット。
【発明の詳細な説明】
【技術分野】
【０００１】
本発明は、複数のユニットを備える電子機器と、該電子機器の増設ユニットに関し、詳しくは装置全体を無駄に大きくすることなく機能拡張のための任意数の増設ユニットを追加できる電子機器及びこの増設ユニットに関する。
【背景技術】
【０００２】
パーソナルコンピュータ等の電子機器は、ユーザーの使用目的や用途に応じて、増設ユニットを追加することにより機能や性能を拡張することがある。
【０００３】
この増設ユニットは、通常ＰＣなどの電子機器に搭載されているマザーボードに設けられた拡張スロットに、その電極端子部を挿入する。このような増設ユニットは、用途に応じてさまざまなタイプのものが市販されている。また、増設ユニットを接続する拡張スロットの種類や筐体の構造によって、固定する位置や固定する方法もさまざまである。
【先行技術文献】
【特許文献】
【０００４】
【特許文献１】特開平１１−３４０６４３号公報
【特許文献２】特開平６−１９５１５３号公報
【発明の概要】
【発明が解決しようとする課題】
【０００５】
マザーボードに増設ユニットを付設する際にはライザーボード（又はライザーカード）を使用することが一般的である。例えば特許文献１に記載された電子機器では、縦方向のライザーボードが収容されたライザーボードユニットの側面に形成された複数のスロットに、拡張ユニット内のボードの一端部に形成されたエッジコネクタを挿入することにより各拡張ユニットをライザーボードに接続している。
【０００６】
しかしこの手法では、前記ライザーボードユニットに形成されるスロットの数が予め決められているため、必要とする拡張ユニットの数がスロットの数より少ない場合には、余分なスロットが存在することになり、そのためのスペースが無駄になる。逆に、必要とする拡張ユニットの数がスロットの数より多い場合には、一部の拡張ユニットを接続できずに、要求される機能や性能が得られなくなる。更に、拡張ユニットやマザーボードを横方向に位置するライザーボードユニットに接続する構造であるため、大きなスペースが必要で、装置が大型化する。
【０００７】
前述したスロット数の問題点を解決するために、スロットを使用せずに、複数の拡張ユニットを垂直方向にスタックした電子機器が特許文献２に記載されている。この電子機器では、各オプションモジュールとコネクタ設置台間の接続を、凹型コネクタに凸型コネクタを挿入することにより行っている。したがって、オプションモジュールのスペースを予め確保する必要がない。しかし、各オプションモジュールは、その数倍の面積を有する電子機器本体のコネクタ設置台上にスタックされているため、電子機器全体として大きくなっている。また、この電子機器の凹型コネクタと凸型コネクタは、ピンで接続する通常のコネクタ構造であるため、接続する端子の数が増えるに連れて連結力が増加し、簡単に取り外しできなくなるという問題があった。
【０００８】
本発明の目的は、装置全体を無駄に大きくすることなく、マザーボードや機能拡張のための任意数の増設ユニットを、確実にスタック接続でき、容易に解除ができる電子機器と、該増設ユニットを提供することにある。
【課題を解決するための手段】
【０００９】
上記の課題を解決すべく、本発明に係る電子機器（請求項１）は、第１ボードを収容した第１ユニットと、第２ボードを収容した第２ユニットの前記両ボードをライザーボードを介して接続する電子機器であって、前記第１ユニットと第２ユニットの平面形状が実質的に同一であり、前記ライザーボードの両端部に形成された１対のエッジコネクタの一端を、前記第１ユニットに形成された第１開口を通して該第１ボードの第１エッジコネクタソケットに、及び他端を前記第２ユニットに形成された第２開口を通して該第２ボードに形成された第２エッジコネクタソケットにそれぞれ挿入することにより、前記第１ボードと第２のボードを接続する電子機器において、前記第１ユニットと前記第２ユニットとの対向面の一方面に、複数の被係合部が形成され、他方面に該複数の被係合部に係合可能な同数の爪部材を有する係合部材が設けられ、前記複数の爪部材を同期してスライドさせる操作ボタンを設置し、該操作ボタンにより、係合している前記各爪部材を前記被係合部から脱離させ、この脱離とともに、前記各爪部材が前記第１ユニットと前記第２ユニットを分離する方向に押圧するよう構成している。
【００１０】
（作用）ライザーボードが、第１ユニットに収容された第１ボードと第２ユニットに収容された第２ボードとを垂直方向に接続し、かつ各ユニットの平面形状が実質的に同一であるため、各ユニット以外の部材が該ユニットの水平方向外側に位置することがなく、水平方向の余剰スペースが不要になる。
また、本発明によれば、ライザーボードのエッジコネクタをエッジコネクタソケットに挿入することによってユニット同士を連結する構造なので、ユニット同士を小さい力で簡単に連結することができ、さらに、ユニット同士の連結の解除も小さい力で簡単に行うことができる。
【００１１】
本発明は、ＣＰＵユニット（メインユニット）とＩＯユニット（増設ユニット）間、及びＩＯユニット間の電気的接続に使用できる。従って、第１ユニットがＣＰＵユニット、第２ユニットがＩＯユニットである場合と、第１及び第２ユニットともＩＯユニットである場合とがある。又各ユニットは通常水平方向に位置させるが、これに限定されず、各ユニットを垂直方向に位置させたり、斜めに位置させることもできる。この場合にも水平方向あるいは斜め方向の余剰スペースが不要になる。
【００１３】
更に、前記第１ユニットと第２ユニットが係合して一体化している際には、爪部材が被係合部に係合して前記第１ユニットと第２ユニットが強固に保持されるとともに、前記ライザーボードの両エッジコネクタは両エッジコネクタソケットを介して両ボードに接続され、両ボードが互いに電気的に接続されている。前記操作ボタンは、前記爪部材と前記被係合部の係合を解除するように設置されていて、この操作ボタンを操作することにより、前記爪部材が反対側の面を押圧し、第１ユニットと第２ユニットが簡単に分離される。その際、複数の爪部材が同期してスライドするので、第１ユニットと第２ユニットを平行な状態のまま分離することができる。
【００１４】
請求項２では、第２ユニットの第２開口の反対側に第３の開口を備えるとともに、該開口が蓋体で閉塞されるよう構成する。
【００１５】
（作用）第２ユニットに第３の開口が設けられているので、さらに別のユニットを連結することができる。また、前記第３の開口が蓋体、例えばゴム製等の弾性体で閉塞されるので、開口を使用しない場合には埃などの混入を防止できる。
【００１６】
請求項３は、請求項３の前記第３の開口が形成された第２ユニットには、該開口と同形状の（凹溝）が形成されるよう構成する。
【００１７】
（作用）この態様では、開口と同形状の凹部を形成したので、開口を使用する際に蓋体を凹部に取り付けておくことができる。
【００１８】
請求項４では、上下の対応箇所に、上向きエッジコネクタソケットと下向きエッジコネクタソケットが形成されたボードを備えるユニットであって、前記両エッジコネクタソケットの上方及び下方に開口を有し、前記上向きエッジコネクタソケットに嵌合され、両端にエッジコネクタが設けられたライザーボードが前記上方開口を通って上方に達し、更に前記ユニットの上面及び下面のいずれか一方に、複数の被係合部が形成され、他方面の該複数の被係合部に対応する箇所に同数の爪部材を有する係合部材が設けられ、かつ前記複数の爪部材を同期してスライドさせる操作ボタンを有する電子機器用の増設ユニットが提供される。
【００１９】
（作用）この増設ユニットは、請求項１〜３記載の電子機器で使用可能で、前述した作用を有する。
【発明の効果】
【００２０】
本発明の電子機器では、第１ユニット（例えばＣＰＵユニット）に収容された第１ボードと第２ユニット（例えばＩＯユニット）に収容された第２ボードを、ライザーボードを介して電気的に接続できる。その際、各ユニットを必要に応じて連結すれば良いので、装置全体が無駄に大きくなることを防止できる。また、ユニットをライザーボードを介して直接接続する構成であるため、任意数のユニットをスタックして接続することができる。しかも、爪部材が被係合部に係合して前記第１ユニットと第２ユニットが強固に保持され、かつ操作ボタンを操作することにより、第１ユニットと第２ユニットが簡単に分離される。
【図面の簡単な説明】
【００２１】
【図１】本発明の電子機器の一実施例を示す斜視図。
【図２】図１のＡ−Ａ線縦断面図。
【図３】図２の要部の拡大図。
【図４】図１のＢ方向からみた図１の電子機器のＩＯユニットの部分分解斜視図（可動係合機構は省略）。
【図５】ＩＯユニットの可動係合機構を示す、下方から見たＩＯユニットの部分分解斜視図。
【図６】図１の電子機器のＩＯユニットの天板の底面図。
【図７】上下を反転させた、図６のＣ−Ｃ線縦断面図。
【発明を実施するための形態】
【００２２】
以下本発明を詳細に説明する。
図１に示すように、電子機器１１は主として、上段側のＣＰＵユニット１３と、下段側のＩＯユニット１５で構成されている。図１には、ＣＰＵユニット１３とＩＯユニット１５が連結された状態が示されており、これらは必要に応じて分離することができる。
【００２３】
ＣＰＵユニット１３は、その筐体がプラスチック等の絶縁性材料で構成されており、筐体の天板１７には、多数の放熱用の平行溝１９が刻設されている。天板１７は、左右両端が下向きに突出しており、それぞれが側壁２１ａ、２１ｂの上端に係合されている。側壁２１ａ、２１ｂの下端は、底板２３（図２参照）に係合されている。さらに筐体の前面側には前板７４ａが設置され、後面側には後板（不図示）が設置されており、それぞれが天板１７と底板２３に係合されている。前板７４ａには多数のインターフェイス７７が設けられており、後板にも不図示のインターフェースが設けられている。
【００２４】
図２の断面図に示すように、ＣＰＵユニット１３の内部には第1ボード３１が収容されている。第1ボード３１はその四隅部分が、天板１７の凹み部分１７ａ（図２に１ヶ所のみ図示、以下同様）と底板２３の突出部分２３ａに挟まれた状態でネジ３２によって固定されている。具体的には、天板１７の四隅部分に、丸い凹み部分１７ａが形成されており、その底面に孔が形成されている。底板２３の同じ位置には、上方に突出した突起部分２３ａがあり、その上部にネジ孔が形成される。第1ボード３１の四隅部分には、同じ位置に孔３１ａが形成されている。したがって、底板２３の突起部分２３ａの位置に第1ボード３１の孔３１ａと天板１７の凹み部分１７ａの位置を合わせ、ネジ３２を締めこむことによって、天板１７、第1ボード３１、底板２３が同時に固定される。
【００２５】
第1ボード３１の下面には、下向きのエッジコネクタソケット３３が設置されている。底板２３には、エッジコネクタソケット３３の位置に合わせて、第１開口４１が細長く形成されており、その周りには第1ガイド片２５が内向き（上向き）に突出して形成されている。第1ガイド片２５は、エッジコネクタソケット３３に対して隙間を持って配置されており、この隙間に後述の第2ガイド片３９が入り込めるようになっている。なお、エッジコネクタソケット３３は、一般的な電子部品であり、後述のライザーボード６１を差し込むことができ、且つ、差し込まれたライザーボード６１が挟持されるようになっている。エッジコネクタソケット３３の内側には多数の端子（不図示）が設けられており、この端子がライザーボード６１の端子と接触することによって、ライザーボード６１と第１ボード３１が電気的に接続される。
【００２６】
一方、ＩＯユニット１５は、ＣＰＵユニット１３と同様に、筐体がプラスチック等の絶縁性材料で構成されている。筐体は、図１に示すように、その大きさが平面視でＣＰＵユニット１３の筐体とほぼ同じ大きさになっている。また、図２に示すように、筐体の天板３７は、左右両端が下向きに突出しており、それぞれが側壁２１ｃ、２１ｄの上端に係合され、その側壁２１ｃ、２１ｄの下端は底板４３に係合されている。図４に分解図を示すように、筐体の前面側には前板７４ｂが設置され、後面側には後板７４ｄが設置されており、それぞれが天板３７と底板４３に係合されている。前板７４ｂと後板７４ｄには多数のインターフェイス７７、７９が設けられている。
【００２７】
筐体の内部には第２ボード５１が収容されている。第２ボード５１は、その四隅部分が、天板３７の凹み部分３７ａと底板４３の突出部分４３ａに挟まれた状態でネジ５２によって固定されている。具体的には、天板３７の四隅部分に、丸い凹み部分３７ａが形成されており、その底面に孔が形成されている。底板４３の同じ位置には上方に突出した突出部分４３ａがあり、その上面にネジ孔が形成される。第２ボード５１の四隅部分には、同じ位置に孔５１ａが形成されている。したがって、底板４３の突出部分４３ａの位置に第２ボード５１の孔５１ａと天板３７の凹み部分３７ａの位置を合わせ、ネジ５２を締めこむことによって、天板３７、第２ボード５１、底板４３が同時に固定される。
【００２８】
図２に示すように、第２ボード５１には、上向きのエッジコネクタソケット５７が取り付けられている。エッジコネクタソケット５７は、ＣＰＵユニット１３のエッジコネクタソケット３３に対向する位置に配置されている。このエッジコネクタソケット５７は、エッジコネクタソケット３３と同様、一般的な電子部品であり、後述のライザーボード６１を差し込むことができ、且つ、差し込まれたライザーボード６１が挟持されるようになっている。エッジコネクタソケット５７の内側には多数の端子（不図示）が設けられており、この端子がライザーボード６１の端子と接触することによって、ライザーボード６１と第２ボード５１が電気的に接続される。
【００２９】
前述した天板３７には、上向きのエッジコネクタソケット５７の位置に合わせて第２開口５５が細長く形成されている。第２開口５５の周囲には、外側（上方）に向けて突出した第２ガイド片３９と、内側（下方）に向けて突出した第３ガイド片５３が形成されている。第２ガイド片３９は、前述したＣＰＵユニット１３の第１開口４１内に挿入できるような大きさで形成されている。また、第３ガイド片５３は、その先端（下端）が第２ボード５１に当接するようになっている。
【００３０】
第２ボード５１には、ライザーボード６１が直交した状態で固定されている。ライザーボード６１は、その上端及び下端にそれぞれ、第１エッジコネクタ６３及び第２エッジコネクタ６５（図３及び図４参照）が形成されている。第１エッジコネクタ６３及び第２エッジコネクタ６５は多数の端子を備えたプリント基板の端部であり、それぞれエッジコネクタソケット３３、エッジコネクタソケット５７に差し込めるようになっている。このように構成されたライザーボード６１は、第２エッジコネクタ６５をエッジコネクタソケット５７に差し込んだ状態で固定されており、第１エッジコネクタ６３は第２ガイド片３９の上部内側に配置されている。
【００３１】
第２ボード５１の下面には、下向きのエッジコネクタソケット６７が取り付けられている。下向きのエッジコネクタソケット６７は、上向きのエッジコネクタソケット５７の反対側の位置に配置されており、このエッジコネクタソケット６７の位置に合わせて、底板４３に第３開口４７が形成され、さらにその周囲が上向きに突出して第４ガイド片４５が形成されている。この第４ガイド片４５は、ＣＰＵユニット１３の第１ガイド片２５と同じ形状で形成されている。したがって、ＩＯユニット１５と同一構成の追加ＩＯユニット１５´（図２想像線）の前記ＩＯユニット１５の第２ガイド片３９との対応箇所に該第２ガイド片と同形状の突出部分があれば、それを前記ＩＯユニット１５の第３開口４７に差し込むことにより、追加ＩＯユニット１５´を前記ＩＯユニット１５の下側に接続できる。
【００３２】
第３開口４７には、ゴム製等の蓋体７１が着脱自在に取り付けられ、この蓋体７１によって第３開口４７が閉塞されている。また、底板４３には、開口４７と同形状のダミー溝（凹溝）７３が形成されており、取り外した蓋体７１をダミー溝７３に装着できるようになっている。
【００３３】
図４に示すように、ＩＯユニット１５の天板３７には、４個の爪部材８１が設けられている。具体的に説明すると、天板３７には４個の孔３７ｂが形成されており、この４個の孔３７ｂに内側から爪部材８１が挿通した状態に設置されている。爪部材８１は、図５に示すようにバー８５と一体的に形成されており、２本のバー８５にそれぞれ２個の爪部材８１が形成されている。２本のバー８５は平行に配置されており、天板３７と薄板１０１ａとの間で、長手方向にスライド自在に支持されている。
【００３４】
図６に示すように、バー８５の端面にはそれぞれ、カム８７が配置されている。カム８７は回動自在に支持されており、バー８５及び操作レバー９１に係合されている。操作レバー９１はバー８５に直交して配置されており、天板３７と薄板１０１ｂ（図５参照）との間で、長手方向にスライド自在に支持されている。操作レバー９１の端部には操作ボタン８９が一体的に形成されている。操作レバー９１を最も外側（図６左側）にスライドさせた際に、操作ボタン８９が筐体の表面と同一面を成すように構成されている。
【００３５】
前述したバー８５にはバー用スプリング９７が接続されており、操作レバー９１にはレバー用スプリング９９が接続されている。これらのスプリング９７、９９によって、バー８５及び操作レバー９１は、元の状態（すなわち操作ボタン８９が筐体の表面と同一面を成す状態）になるように付勢される。この付勢力に抗して操作ボタン８９を押圧（図７矢印参照）すると、操作レバー９１が奥側にスライドし、その力がカム８７を介して伝達され、２本のバー８５が同時にスライドし、４個の爪部材８１が同時に図６上方に同じ量だけ移動する。以下、操作ボタン８９を操作した際に爪部材８１が移動する方向を前進方向（図７の右方向）とし、スプリング９７、９９によって爪部材８１が戻る方向を後退方向（図７の左方向）とする。
【００３６】
図７に断面の拡大図を示すように、爪部材８１は、バー８５から上方に突出して形成されている。爪部材８１の上面はテーパー９３になっており、後退方向になるほど高く形成されている。また、爪部材８１の上部は後退方向に突出し、後端部９５が形成されている。
一方、ＣＰＵユニット１３の底板２３には、凹部８２が形成されている。凹部８２は爪部材８１の位置に応じて４ヶ所に形成されている。また、凹部８２の内部には突起８３が形成されており、爪部材８１が後退した際に後端部９５が係合するようになっている。さらに、凹部８２の内部には、テーパー８４が形成されており、爪部材８１が前進した際に爪部材８１のテーパー９３がテーパー８４に当接するようになっている。
【００３７】
上述したように、４個の爪部材８１は、同じ形状に形成され、且つ、操作ボタン８９を操作した際に同じ方向に同じ量だけ同時に移動するように構成されている。そして、４個の爪部材８１が移動する際に４個の爪部材８１のテーパー９３がＣＰＵユニット１３側の４個のテーパー８４に同時に当接し、ＣＰＵユニット１３を同時に上方に押圧する。したがって、ＣＰＵユニット１３はＩＯユニット１５に対して平行状態を保ったまま上方（分離方向）に移動し、両者が分離される。一方、４個の爪部材８１が後退方向に移動した場合には、４個の爪部材８１の後端部９５が凹部８２の突起８３に係合し、ＣＰＵユニット１３がＩＯユニット１５に強固に固定される。
【００３８】
前述の構成を有する本実施例の電子機器の組立て及び分解について説明する。
【００３９】
組立てる前、ＣＰＵユニット１３はＩＯユニット１５とは分離されており、ライザーボード６１はＩＯユニット１５側に固定されている。これらの部材の組み立ては、まず、ＣＰＵユニット１３とＩＯユニット１５とを重ねる。その際、ＩＯユニット１５の天板３７の上にＣＰＵユニット１３の底板２３を重ねてもよいし、逆さにして配置したＣＰＵユニット１３の底板２３の上に、逆さにしたＩＯユニット１５の天板３７を重ねてもよい。両者を重ねる際、ＣＰＵユニット１３とＩＯユニット１５は同一の平面形状なので、側面の位置を合わせる。そして、ＩＯユニット１５の第２ガイド片３９をＣＰＵユニット１３の第１開口４１に挿入した状態で、ＣＰＵユニット１３をＩＯユニット１５側に（或いはＩＯユニット１５をＣＰＵユニット１３側に）押圧する。これにより、ライザーボード６１の第１エッジコネクタ６３がＣＰＵユニット１３のエッジコネクタソケット３３に挿入され、両者が電気的に接続される。その際、爪部材８１は、スプリング９７、９９によって凹部８２内を移動し、図７の実線で示す位置に自動的に配置される。
詳しくは、ＣＰＵユニット１３をＩＯユニット１５上に重ねると、図７仮想線位置にある爪部材８１のテーパー９３がＰＵユニット１３の底板２３のテーパー８４に当接し押圧されて、凹部８２内を後退し（図７左方向に移動し）、爪部材８１の後端部９５が凹部８２の突起８３に係合するので、ＣＰＵユニット１３がＩＯユニット１５に強固に連結される。
【００４０】
連結した状態では、操作ボタン８９が、ＩＯユニット１５の側壁２１ａと同一面を形成するため、目視により連結状態を確認することができる。逆に、操作ボタン８９が側壁２１ａと同一面を形成していない場合（すなわち、操作ボタン８９が側壁２１ａよりも内側に入り込んでいる場合）には、このずれを目視で確認することにより、両者の連結が不完全であることを把握することができる。
【００４１】
ＣＰＵユニット１３とＩＯユニット１５の連結を解除するには、操作ボタン８９を押圧する。この操作によって、４個の爪部材８１が後退方向に同時に同じ量だけ移動し、爪部材８１のテーパー９３が、ＣＰＵユニット１３側の４個のテーパー８４を同時に押圧する。これにより、ＣＰＵユニット１３がＩＯユニット１５に対して平行状態を保ったまま上方に押し上げられる。したがって、ライザーボード６１の第１エッジコネクタ６３がエッジコネクタソケット３３から引き抜かれ、ＣＰＵユニット１３がＩＯユニット１５から分離される。
【００４２】
このように本実施の形態によれば、操作ボタン８９を操作するだけで簡単に、且つ、小さな力でＣＰＵユニット１３とＩＯユニット１５を分離することができる。その際、ＣＰＵユニット１３がＩＯユニット１５に対して平行状態を保ったまま分離するので、連結部分を損傷することなく、安全に分離することができる。すなわち、従来のようにピン構造のコネクタを用いて連結した場合には、ピンの数が増えるにつれて連結力が増加し、分離操作時に損傷するおそれがあったが、本実施の形態では、平行状態を保ったまま分離させることができるので、安全に分離させることができる。
【００４３】
なお、上述した実施形態では、ライザーボード６１をＩＯユニット１５側に固定したが、これに限定するものではなく、ＣＰＵユニット１３側に固定するようにしてもよい。また、どちらにも固定せず、連結時にＣＰＵユニット１３のソケット３３とＩＯユニット１５のソケット６７の両方に差し込むようにしてもよい。
【００４４】
また、上述した実施形態は、ＣＰＵユニット１３に単一個のＩＯユニット１５を接続する例で説明したが、本発明はこれに限定されるものではなく、２以上のＩＯユニットを接続することもできる。たとえば、図２に想像線で示すように、ＩＯユニット１５と同一構成の追加ＩＯユニット１５´を使用し、この追加ＩＯユニット１５´をＩＯユニット１５に接続してもよい。その場合、まずＩＯユニット１５の底板４３に嵌合された蓋体７１を外し、底板４３のダミー溝７３に装着する。次いで、ＩＯユニット１５の第３開口４７に追加ＩＯユニット１５´の第２ガイド片（不図示）を差し込み、追加ＩＯユニット１５´のライザーボード６１´の上端を、ＩＯユニット１５のエッジコネクタソケット６７に挿入する。これにより、ＩＯユニットと追加ＩＯユニット１５´が連結される。この連結を解除する場合には、追加ＩＯユニット１５´の操作ボタン（不図示）を操作することによって簡単に分離することができる。
【符号の説明】
【００４５】
１１  電子機器
１３  ＣＰＵユニット（第１ユニット）
１５  ＩＯユニット（第２ユニット、増設ユニット）
３１  第１ボード
３３  下向きのエッジコネクタソケット
４１  第１開口
４７  第３開口
５１  第２ボード
５５  第２開口
５７  上向きのエッジコネクタソケット
６１  ライザーボード
６３、６５  エッジコネクタ
６７  下向きのエッジコネクタソケット
７１  蓋体
７３  ダミー溝（凹溝）
８１  爪部材
８５  バー
８７  カム
８９  操作ボタン
９１  操作レバー
【要約】
【課題】装置全体が無駄に大きくなることがなく、マザーボード（ＣＰＵユニット）や機能拡張のための任意数の増設ユニット（ＩＯユニット）を、確実にスタック接続でき、容易に解除ができる電子機器を提供する。
【解決手段】ライザーボード６１の両端部に形成された１対のエッジコネクタ６３、６５を、ＣＰＵユニット１３の第１ボード３１に設けられたエッジコネクタソケット３３と、ＣＰＵユニット１５の第２ボード５１に設けられたエッジコネクタソケット５７にそれぞれ挿入することにより、ＣＰＵユニット１３とＩＯユニット１５が連結され、第１ボード３１と第２ボード５１がライザーボード６１を介して電気的に接続される。
【選択図】図３【図１】
0005748252.tif 000002
【図２】
0005748252.tif 000003
【図３】
0005748252.tif 000004
【図４】
0005748252.tif 000005
【図５】
0005748252.tif 000006
【図６】
0005748252.tif 000007
【図７】
0005748252.tif 000008